(57)【特許請求の範囲】
【請求項１】
少なくとも１つのハードウェア・プロセッサと、
電力アクセス・ポイントのセットによって共有される電力供給に対するアクセスをキューイングする方法を提供するために、前記ハードウェア・プロセッサによって実行されるコンピュータ・プログラム命令を保持するコンピュータ・メモリと
を備えた装置であって、前記方法が、
それぞれのアクセス・ポイントに関して、オン状態である前記アクセス・ポイントに関連する電力引出し値を識別するステップであって、前記電力引出し値が負荷持続曲線に関連する、ステップと、
前記アクセス・ポイントの動作状態のセットに関する前記負荷持続曲線を正規化して、確率分布関数を生成するステップであって、前記確率分布関数が、動作状態の数に対応する確率しきい値のセットを有し、前記確率しきい値が、前記電力供給に対するアクセスがキューイングされるべき特定のサービス等級（ＧｏＳ）を表す、少なくとも１つのしきい値を含む、ステップと、
前記サービス等級を表す前記しきい値が満たされたとき、動作状態の第１の変化に応答して、前記電力供給に対するアクセスをキューイングするステップと
を含む、装置。
【請求項２】
前記確率分布関数が変換されたアーランＣ確率分布である、請求項１に記載の装置。
【請求項３】
前記変換されたアーランＣ確率分布の関数が、前記特定のサービス等級に関する総電力需要に関連する負荷持続曲線をモデル化する、請求項２に記載の装置。
【請求項４】
少なくとも第１及び第２のアクセス・ポイントが独立した電力引出しを有する、請求項１に記載の装置。
【請求項５】
前記第１及び前記第２のアクセス・ポイントが互いから地理的に分散されている、請求項４に記載の装置。
【請求項６】
１つ又は複数の器具が特定のアクセス・ポイントと関連付けられる、請求項１に記載の装置。
【請求項７】
前記電力供給に対するアクセスをキューイングする前記ステップが、特定のアクセス・ポイントに関連する器具のターン・オンを調整する、請求項１に記載の装置。
【請求項８】
前記ターン・オンは、前記特定のアクセス・ポイントにアクセス優先順位コードを提供することによって調整され、
前記アクセス優先順位コードは、前記特定のアクセス・ポイントを含む前記アクセス・ポイントに提供されるアクセス優先順位コード（ＡＰＣ）のセットのメンバーであり、
アクセス優先順位コードの前記セットは、前記アクセス・ポイントの相対的なキューイング順序を規定して、アクセス・ポイント・キューイング時間と、前記電力供給からの電力引出し競合とを最小にする、請求項７に記載の装置。
【請求項９】
前記方法が、前記サービス等級を表す前記しきい値が満たされなくなったとき、動作状態の第２の変化に応答して、前記電力供給に対するアクセスをキューイング解除するステップをさらに含む、請求項１に記載の装置。
【請求項１０】
アクセス優先順位コード（ＡＰＣ）のセットが継続的に生成される、請求項７に記載の装置。
【請求項１１】
前記方法が、１つ又は複数の参加エンティティのためのサービスとして実施される、請求項１に記載の装置。
【請求項１２】
そのそれぞれのスイッチが電力アクセス・ポイントに関連し、前記電力アクセス・ポイントが、電力供給に対する共有されるアクセスを提供する電力アクセス・ポイントのセットのうちの１つである、スイッチのセットと、
電力ルータであって、
それぞれのアクセス・ポイントに関して、オン状態である前記アクセス・ポイントに関連する、負荷持続曲線に関連した電力引出し値を識別し、
動作状態の数に対応し、前記電力供給に対するアクセスがキューイングされるべき特定のサービス等級（ＧｏＳ）を表す少なくとも１つのしきい値を含む、確率しきい値のセットを有する確率分布関数を生成するために、前記アクセス・ポイントの動作状態のセットに関する前記負荷持続曲線を正規化し、
前記サービス等級を表す前記しきい値が満たされたとき、動作状態の第１の変化に応答して、前記電力供給に対するアクセスをキューイングする
ように構成されたソフトウェアを動作させるハードウェア要素を備えた電力ルータと
を備える電力需要管理システム。
【請求項１３】
前記確率分布関数が変換されたアーランＣ確率分布である、請求項１２に記載の電力需要管理システム。
【請求項１４】
前記変換されたアーランＣ確率分布関数が、前記特定のサービス等級に関する総電力需要に関連する負荷持続曲線をモデル化する、請求項１３に記載の電力需要管理システム。
【請求項１５】
少なくとも第１及び第２のアクセス・ポイントが独立した電力引出しを有する、請求項１２に記載の電力需要管理システム。
【請求項１６】
１つ又は複数の器具が特定のアクセス・ポイントにおけるスイッチと関連付けられる、請求項１２に記載の電力需要管理システム。
【請求項１７】
前記電力ルータが、特定のアクセス・ポイントにおけるスイッチを制御することによって、前記電力供給に対するアクセスをキューイングし、前記スイッチに関連する器具のターン・オンを調整する、請求項１２に記載の電力需要管理システム。
【請求項１８】
前記ターン・オンは、前記特定のアクセス・ポイントにおける前記スイッチにアクセス優先順位コードを提供する前記電力ルータによって調整され、
前記アクセス優先順位コードは、前記特定のアクセス・ポイントにおける前記スイッチを含む、スイッチの前記セットに提供されるアクセス優先順位コード（ＡＰＣ）のセットのメンバーであり、
アクセス優先順位コードの前記セットは、スイッチの前記セットの相対的なキューイング順序を規定して、個々のアクセス・ポイント・キューイング時間と、前記電力供給からの電力引出し競合とを最小にする、請求項１７に記載の電力需要管理システム。
【請求項１９】
アクセス優先順位コード（ＡＰＣ）が、前記アクセス・ポイントに位置する前記スイッチに関連する、少なくとも１つの電気器具に関連する最終使用サービス要件の関数である、請求項１８に記載の電力需要管理システム。
【請求項２０】
前記電力ルータが、前記サービス等級を表す前記しきい値が満たされなくなったとき、動作状態の第２の変化に応答して、前記電力供給に対するアクセスをキューイング解除する、請求項１２に記載の電力需要管理システム。
【請求項２１】
スイッチがＳＣＡＤＡ準拠デバイスと関連付けられる、請求項１２に記載の電力需要管理システム。
【請求項２２】
アクセス優先順位コード（ＡＰＣ）のセットが継続的に生成される、請求項１７に記載の電力需要管理システム。
【請求項２３】
電力供給を共有する分散されたアクセス・ポイントのセットのうちの１つである電気アクセス・ポイントに関連する装置であって、
少なくとも１つのハードウェア・プロセッサと、
方法を提供するために、前記ハードウェア・プロセッサによって実行されるコンピュータ・プログラム命令を保持するコンピュータ・メモリと
を備えた装置であって、前記方法が、
前記アクセス・ポイントに関連する電力引出しを識別するデータを提供するステップと、
前記アクセス・ポイントに関するアクセス優先順位コード（ＡＰＣ）を周期的に受信するステップであって、前記ＡＰＣが、個々のアクセス・ポイント・キューイング時間と、前記電力供給からの電力引出し競合とを最小にする前記アクセス・ポイントの相対的なキューイング順序を規定するために、アクセス・ポイントの前記セットに周期的に戻されるアクセス優先順位コードのセットのうちの１つであって、アクセス優先順位コードの前記セットが、前記電力供給に対するアクセスがキューイング又はキューイング解除されるべきサービス等級を表し、当該サービス等級は、確率分布関数の１つ若しくは複数の確率しきい値である、ステップと、
前記ＡＰＣに従って、前記電力供給に対するアクセスを可能にするステップと
を含む、装置。
【請求項２４】
１つ又は複数の電気デバイスが前記アクセス・ポイントと関連付けられる、請求項２３に記載の装置。
【請求項２５】
前記１つ又は複数の電気デバイスがＳＣＡＤＡ準拠デバイスを含む、請求項２４に記載の装置。
【請求項２６】
前記１つ又は複数の電気デバイスが、作動サイクルを有する電気器具の電気動作を調整する制御デバイスを含む、請求項２４に記載の装置。
【請求項２７】
前記確率分布関数が変換されたアーランＣ確率分布である、請求項２３に記載の装置。
【請求項２８】
前記ＡＰＣが、前記アクセス・ポイントに関連する器具のターン・オンに関する相対的なキューイング順序を設定する、請求項２３に記載の装置。
【発明の詳細な説明】
【技術分野】
【０００１】
本出願は、２０１１年２月２５日に出願した、第６１／４６３，９４６号に基づき、第６１／４６３，９４６号からの優先権を主張するものである。
【０００２】
著作権宣言
本出願は、著作権によって保護された主題を含む。不許複製。
【０００３】
本開示の主題は、一般に、電力を調整することに関する。
【背景技術】
【０００４】
近代の電力産業は１８８０年代に始まった。電力産業は、ガス及び電気の炭素アークによる商用及び街路照明システムを起源とする。最初の発電局は、近代の電力システムの４つの重要な要素、すなわち、信頼性のある集中発電、効率的な分配、最終使用の成功（電球）、及び競争価格を特徴とすることによって電力産業を世にもたらした。電力の主な、且つ唯一の最終使用が夜間電灯であったとき、信頼性のある集中発電は、電力供給サービスが常に電力需要のすべてに利用可能であったことを意味した。１８８０年後半に、電気モータに関する電力需要により、電力産業が主に夜間照明から２４時間サービスになり、交通ニーズ及び産業ニーズに関する電気需要が劇的に高まった。さらに、最初の直流（ＤＣ）電気系統は、低周波（５０〜６０Ｈｚ）交流（ＡＣ）システムにたちまち取って代わられた。
【０００５】
社会の経済発展において電力が決定的に重要であるため、信頼性のある電力供給のための中核的な電気系統設計計画要件は、電力供給が、常時、すべての電気需要最終使用にとって利用可能であるという仮定に基づいて広く定義された。電力システムは、歴史上、その年間の同時ピーク需要を処理するように、その大きさを決定されてきた。料金は、ピーク需要が存在する状況に基づく。これらの仮定すべてが、供給量増加（ワットでの発電容量電力）が需要増大（ワットでの平均需要電力）に常に先んずるという電力インフラストラクチャの工学技術に通じていた。発電容量電力による平均需要電力の比率（設備利用率（capacity factor）は４０〜５０％の間で安定しているが、電力産業が始まって以来、発電容量は平均需要容量より速く増大してきた。今日、家庭電化製品は電力に無制限にアクセスすることができる。多くのセンサ自動化器具は、人間とのやりとりなしに環境要因に応答する。例えば、天候の変化は、冷蔵庫や空調装置など温度感知式の器具上で電力引出し同期を引き起こす。複数の器具が電力を同時に引き出すとき、共振同時ピーク需要現象（resonant coincident peak demand phenomenon）が発生する。
【０００６】
電力事業は電力をいつでもその最終使用者顧客に分配する責任がある。それらの同じ顧客は、そのニーズに役立てるために電力に対する即時アクセスの代金を支払い、その電力を適用し、最終使用者の特定の要件を満たす幅広い範囲の電気器具を駆動させる。ピーク需要は、電力のニーズ、すなわち、その電気器具を動作させるための顧客の電力利用が局所的なＩＳＯ／ＲＳＯネットワークの基底負荷発電容量を超えるときに発生する。この同時ピーク事象は、その信頼責任を満たすために、公益事業提供者による追加の／より高いコストの発電容量の取得のきっかけとなり、そのコストは、多くの場合、その顧客に直接転嫁される。
【０００７】
電力事業の顧客は、多くの稼働中の器具を有する単一の建物／不動産を有する場合があり、且つ／又は、１つ若しくは複数の首都圏地域（動作環境）にわたって分散した多数の建物／不動産を有する場合もある。所与の建物／不動産内又は首都圏整備地域（ＭＳＡ）内では、そのＭＳＡ内では外気温度が華氏２度の範囲内であったり、又は顧客の建物／不動産内の室内間の温度が類似の狭い範囲であったりというように、一連の共通の内部及び外部環境要因が明らかになるであろう。任意の所与の動作環境内で、類似の機能を備えた電気器具、例えば、センサ自動化環境冷却は、高度の同時「オン／オフ」動作挙動を示すことになる。これにより、例えば、これらの器具（空調装置や冷蔵庫など）は、目標室内温度など、最終使用者操作目的を維持するために、高い時間割合で同時に電力を要求していたことが分かっている。器具の大多数が同時に「オン」であるとき同時ピークが発生し、それらの器具の電力需要を満たすために追加の電力供給リソースが必要となる。所与の支払い請求周期の間、通常、５％未満の割合で発生する同時ピーク需要事象は、それでもなお、電力事業によってその最終使用者顧客に請求される総電力コストの２０％の割合を占める場合がある。
【発明の概要】
【発明が解決しようとする課題】
【０００８】
同時ピーク需要を系統的に制御するために、その電力供給に対する電気器具のアクセスを調整するシステムを提供する必要が当技術分野に存在する。本開示はこの要求に対処する。
【課題を解決するための手段】
【０００９】
一連の電気アクセス・ポイントによって共有される電力供給に対するアクセスをキューイングする方法が説明される。アクセス・ポイントは、互いに独立してターン・オン及びターン・オフすることができ、したがって、独立した電力引出しを有する。アクセス・ポイントはまた、典型的には、互いから離れて配置されている。１つ若しくは複数の電気器具又はデバイスが、特定のアクセス・ポイントと関連付けられることが可能である。それぞれのアクセス・ポイントは、それがオンであるとき（すなわち、電力供給から電力を引き出しているとき）、特定の電力引出しを有する。本開示によれば、アクセス・ポイントのそれぞれのオン状態と関連する電力引出しとが識別され、それぞれのアクセス・ポイントに関する負荷持続曲線が正規化されて（すなわち、他のアクセス・ポイントからの）負荷持続曲線と組み合わされて）確率分布関数になる。確率分布関数は、正規化された負荷持続曲線であり、したがって、（集合的に見たとき）一連のアクセス・ポイントに関して発生し得る「動作状態」の様々な組の原因を説明するものとなる。したがって、「ｎ」個のアクセス・ポイントが存在する場合、そのアクセス・ポイントの組に関して２ｎ個の可能な動作状態が存在し、場合によっては、それぞれの動作状態は、「オン」又は「オフ」である（そのサブセットがアクセス・ポイントのすべてを含み得る）アクセス・ポイントのいくつかのサブセットに対応する同時の「事象」の組によって表される。それぞれの動作状態は関連する発生確率を有する。本方法によれば、（アクセス・ポイントの）動作状態の組が変化する（オン／オフ事象によって表される）につれて、電力供給に対するアクセスは選択的にキューイングされるか、又は（以前にキューイングされている場合）キューイング解除される（de-queued）。
【００１０】
特定の動作状態の発生確率は、サービス等級（ＧｏＳ）と関連付けられることが可能であり、この場合、ＧｏＳは、電力アクセスが指定された時間間隔を超えてキューイングされている確率である。好ましい実施例においては、確率分布関数は、所与のＧｏＳに関する総電力需要に関連する（アクセス・ポイントの組み合わされた組を表す）負荷持続曲線をモデル化する、変換された（すなわち、「非正規化された」）アーランＣ確率分布である。
【００１１】
代表的であるが、非限定的な実施例では、上述の方法は、集中コンピューティング・デバイス（「電力ルータ」と呼ばれることがある）内で実施され、それぞれのアクセス・ポイントは、デジタル電子スイッチなど、スイッチ内で実施される。説明される手法によれば、キューイングが、そのとき、実施されていない（「利用可能」モードである）と仮定すると、（特定のＧｏＳを表す）動作状態確率が満たされているか又は超えていたとき、システムは、キューイング（又は、「ビジー」）モードに入り、それによって、共有された電力供給に１つ若しくは複数のアクセス・ポイントがアクセスすることができる「時間」を制御する。好ましくは、アクセス・ポイントに関する特定のターン・オン「時間」は、アクセス・ポイントに位置するデジタル電子スイッチに電力ルータが提供する「アクセス優先順位コード」を使用して制御される。電力ルータはアクセス優先順位コードを連続的に生成して、キューイング方式に従って、これらのコードをスイッチに提供する。特定の時点で、一連のアクセス優先順位コード（ＡＰＣ）は、これにより、個々のアクセス・ポイント・キューイング時間と、電力供給からの電力引出し競合とを最小にする、アクセス・ポイントの相対的なキューイング順序を定義する。
【００１２】
前述の説明は、本発明のより適切な特徴のうちのいくつかを概説している。これらの特徴は、単なる例示であると解釈されるべきである。後述するように、開示される発明を異なる様式で適用することによって、又は本発明を修正することによって、多くのその他の有益な結果を達成することが可能であろう。
【００１３】
本発明及びその利点をより完全に理解するために、次に、添付の図面と共に、以下の説明が参照される。
【図面の簡単な説明】
【００１４】
【図１】電力供給容量プロットである。
【図２】電気系統に関する負荷持続曲線（ＬＤＣ）を例示する図である。
【図３】変換されたアーランＢ分布によってモデル化された電気系統ＬＤＣを例示する図である。
【図４】変換されたアーランＣ分布によってモデル化された電気系統ＬＤＣを例示する図である。
【図５】図３及び図４の電気系統ＬＤＣモデルの比較を例示する図である。
【図６】本開示のアクセスをキューイングする方法を実行するＥＡＰＲが一連のアクセス・ポイントの間で共有される電力供給に関する同時ピーク需要をどのように制御するかを例示する図である。
【図７】本開示のキューイング・アクセス制御方法（queuing access control method）を組み込んだシステムを例示する図である。
【図８】図７に示されたシステムの別の実施例を例示する図である。
【図９】本開示のデジタル電子スイッチ（ＤＥＳ）とＥＡＰＲとの間のインタラクションを例示する図である。
【図１０】本開示のキューイング優先順位付け技法を例示する流れ図である。
【図１１】代表的なデジタル電子スイッチ（ＤＥＳ）の構成を例示する図である。
【図１２】アクセス・ポイントにおける器具消費電力の統計的測度を表すプロットである。
【発明を実施するための形態】
【００１５】
上で説明されたように、本開示は、一連の電気アクセス・ポイントによって共有される電力供給に対するアクセスをキューイングする方法に関する。アクセス・ポイントは、互いから独立してターン・オン及びターン・オフすることができ、したがって、独立した電力引出しを有する。アクセス・ポイントはまた、通常、互いから離れて配置されている。１つ若しくは複数の電気器具又は電気デバイスは、特定のアクセス・ポイントと関連付けられることが可能である。それぞれのアクセス・ポイントがオンであるとき（すなわち、電力供給から電力を引き出しているとき）、それぞれのアクセス・ポイントは特定の電力引出しを有する。
【００１６】
一般に、（電力供給に対する）アクセスをキューイングすることは以下のように制御される。アクセス・ポイントのそれぞれのオン状態と関連する電力引出しとが識別され、それぞれのアクセス・ポイントに関する負荷持続曲線が正規化されて（すなわち、他のアクセス・ポイントからの（１つ又は複数の）負荷持続曲線と組み合わされて）確率分布関数になる。確率分布関数は、（集合的に見たとき）一連のアクセス・ポイントに関して発生し得る「動作状態」の様々な組の原因を説明する正規化された負荷持続曲線である。好ましくは、確率分布関数は、変換された（すなわち、非正規化された）アーランＣ確率分布関数である。
【００１７】
本開示のアクセスをキューイングする方法は、電力供給を共有する１つ又は複数の電力アクセス・ポイントに関連するコンピューティング・デバイス内で実施可能である。一実施例では、確率分布関数は、共有される電力供給へのアクセスを調整して、同時ピーク需要を系統的に制御するコンピュータ・システムである電気器具電力ルータ（ＥＡＰＲ）内で実現される。詳細には、アクセス・ポイントに配置された、関連するデジタル電子スイッチ（ＤＥＳ）を通して、ＥＡＰＲはアクセス・ポイントの「オン」又は「オフ」の電力引出し状態をバイナリ・データとして解釈し、様々なスイッチに供給するアクセス優先順位コード（ＡＰＣ）を用いて、電力供給に対するアクセスをキューイングする。特定のＡＰＣは、アクセス・ポイント（詳細には、それに関連する１つ若しくは複数の電気器具又はデバイス）のターン・オンを制御する。さらに、電力に適用される確率分布関数（例えば、変換されたアーラン分布）に従うサービス等級（ＧｏＳ）内で電力サービスを依然として分配しながら、同時ピーク需要は目標「ピーク電力」しきい値に制限される。好ましくは、サービス等級（ＧｏＳ）は、その電気消費量の強度が最大である時の電気系統ピーク電力期間を参照して規定される。ＧｏＳは、小数で表される、指定された時間間隔を超えてキューイングされている送電線グループ内の電力アクセスの確率である。共有される電力供給に対するアクセスをこのようにキューイングすることによって、（アクセス・ポイントに関連する）電気器具はその電力供給に規則正しくアクセスし、これは、同時ピーク需要をもたらす電力引出しの競合を最小にする。
【００１８】
電力に適用されるアーラン分布
以下の節は、確率分布関数、及び電力に適用されるアーランＣの使用に関する追加の詳細を提供する。アーラン分布（及び、アーラン・データ表）が熟知されていると想定する。
【００１９】
アーラン分布は、交換局オペレータに対して同時に行われている可能性がある電話呼出の数を調査するために、A. K. Erlangによって開発された連続的な確率分布である。電話トラフィック技術に関するこの研究は、後に、一般のキューイング・システム内での待ち時間を考慮する研究に拡張された。アーラン（Ｅ）は、サービス提供電話回線上で搬送される負荷の統計的測度として電話通信において使用される無次元単位である。（アーラン単位で）提供されるトラフィックは、呼到着率λと、平均呼保持時間ｈとに、ｈ及びλが同じ時間単位を使用して表現される（秒と秒あたり呼数、又は分と分あたり呼数）ならば、以下の関係、すなわち、Ｅ＝λｈによって、関係付けられる。
【００２０】
アーランＢモデルは、回路のグループ内の失われた呼の確率を説明するためにアーラン分布から導出されるブロッキング確率に関する公式である。この公式は、失敗に終わった呼がキューイングされていないという条件の下で適用される。以下の公式は、すべてのサーバ（回路）がビジーであるため、回路グループ内に到着した新しい呼が拒絶される確率Ｐｂを提供し、詳細には、トラフィックのＥアーランがｍ個のトランク（通信チャネル）に提供されるときのＢ（Ｅ，ｍ）である。
【００２１】
【数１】
0005957014.tif 000002
上記の公式で、Ｐｂは、ブロッキングの確率であり、ｍは、グループ内のサーバ又は回路など、リソースの数であり、Ｅ＝λｈは、アーラン単位での、提供されたトラフィックの総量である。
【００２２】
アーランＣモデルは、キューイング・システム内の待機確率を表す。すべての回路がビジーである場合、その要求はキューイングされる。無限数の要求が同時にキュー内に保持される場合がある。以下の公式は、キューイングされた呼が処理され得るまで、そのシステム内に留まると仮定して、搬送されるトラフィックをキューイングする確率を計算する。
【００２３】
【数２】
0005957014.tif 000003
上記の公式で、Ａは、アーランの単位での提供された総トラフィックであり、Ｎは、サーバの数であり、Ｐｗは、顧客がサービスを待たなければならない確率である。
【００２４】
本開示によれば、アーラン分布は変換されて、一組の仮定の下で、電力系統計画に適用される。これらの仮定は以下のとおりである。すなわち、（ｉ）電気器具は、「オン」又は「オフ」のいずれかであり、共有される電力供給に対するアクセスを獲得するために回路（送電線）のグループを利用する、（ｉｉ）電気器具は、「オン」であるとき、その回路のグループの電力を使用する、（ｉｉｉ）（開示される、アクセスをキューイングする方法によって提供されるような）アクセス制御なしでは、電気器具は、アーランＢ分布に従って、その電力供給によってサービス提供され、アクセスはキューイングされない（且つ、電力供給は常に電気需要を満たす）、（ｉｖ）（本開示による）電気器具に関するキューイング・アクセス制御システムは、好ましくは、アーランＣ分布に従い、キューイングされた器具は、処理され得るまで、システム内に留まる、（ｖ）電力供給容量は従来のアーラン分布における「サーバの数」と等価である、（ｖｉ）ある期間の平均電力需要は、アーラン分布内の「搬送される負荷」と等価である、（ｖｉｉ）電力供給容量は所与の時点で要求される電力に等しい、である。これらの仮定の下で、この技法は、以下の規則に従って、アーラン分布を電力需要に変換する。第１に、「サーバの数」はメガワット単位（ＭＷ）の電力供給容量（ＰＳ）の定数因数「Ｋ」倍、すなわち、Ｎ〜ＰＳ（ＭＷ）×Ｋと等価である。この関係は、図１のプロットに表されている。第２に、「搬送されるトラフィック」は、メガワット単位（ＭＷ）の平均需要電力（ＰＤ）の同じ定数因数倍、すなわち、Ｅ〜ＰＤ（ＭＷ）×Ｋに等しい。
【００２５】
さらなる背景として、「負荷持続曲線」（ＬＤＣ）は、発電容量要件と容量利用との間の関係を例示するために発電において使用される。ＬＤＣは、負荷曲線に類似するが、需要データは、年代順ではなく、大きさの降順で順序付けられる。ＬＤＣ曲線は、負荷のそれぞれの増分に関する容量利用要件を示す。それぞれのスライスの高さは、容量の測度であり、それぞれのスライスの幅は、利用率又は設備利用率の測度である。これら２つの積は、電気エネルギーの測度（例えば、キロワット時）である。図２は、電気系統に関する代表的な負荷持続曲線を例示する。電力に適用される、変換されたアーランＢ分布は、メガワット（ＭＷ）単位での所与の平均需要電力に関する負荷持続曲線をモデル化し、ここで、「％時間」は、電気系統のサービス等級（ＧｏＳ）を表す。図３は、変換されたアーランＢによってモデル化された代表的な負荷持続曲線を例示する。本開示によれば、電力に適用される、変換されたアーランＣ分布は、メガワット（ＭＷ）単位での所与の平均需要電力に関する負荷持続曲線をモデル化し、ここで、「％時間」は、システムの「キューイング（％時間）」を表す。図４は、変換されたアーランＣによってモデル化された代表的な負荷持続曲線を例示する。電力供給キューイング・アクセス・システム（power supply queuing access system）を本開示により実現するとき、電気系統負荷持続曲線プロファイルは変化し、同時ピーク需要が減少するとともに、設備利用率は増大する。図５は、変換されたアーランＢ及びＣによってモデル化された（１つ又は複数の）電気系統負荷持続曲線を例示し、比較を示す。例えば、２．７ＭＷの平均電力需要を有する電気系統では、「８０％ピーク需要」でのピーク需要目標しきい値と、「５％ＧｏＳ」でのそれぞれのキューイング時間に対し、同時ピーク需要は２０％削減される。
【００２６】
本開示によれば、上で説明されたように、ＥＡＰＲは、共有される電力供給に対するアクセスを調整して、同時ピーク需要を系統的に制御する。好ましくは、電力に適用される、変換されたアーランＣ分布に従うＧｏＳ内で電力サービスを依然として分配しながら、同時ピーク需要は目標「ピーク電力」しきい値に制限される。図６は、本開示による、ＥＡＰＲ同時ピーク需要緩和の代表を例示する。
【００２７】
実装形態
本発明の主題の一実施例が図７に例示される。ここで説明される原理に従って動作する「システム」７００は、一組のデジタル電子スイッチ（それぞれ、ＤＥＳ）７０４と共に、電気器具電力ルータ７０２を備える。ＥＡＰＲ又はＤＥＳなどの用語は、限定として解釈されるべきではない。一般に、ＥＡＰＲは、コンピュータ・システムなど、自動計算器において実現される。ＥＡＰＲは、既存の送電線グループの上の「層」として概念化されることが可能であり、電力供給アクセス層である。ＤＥＳは、任意のＳＣＡＤＡ準拠デバイス、又は、より一般的には、ネットワーク接続制御デバイスであってよい。例示されるように、それぞれのＤＥＳは、ＥＡＰＲ７０２に対するデータ接続７０５を有し、このデータ接続は、限定されるものではないが、固定回線、無線、又はそれらの何らかの組合せを含む、任意のタイプのネットワークを介することが可能である。
【００２８】
無線通信が使用されるシナリオでは、ＤＥＳ及びＥＡＰＲのそれぞれは、トランシーバ・モジュールを含む、あるいはこれと関連付けられることが可能である。トランシーバ・モジュールは、様々なタイプのプロトコル、通信範囲、動作電力要件、ＲＦサブバンド、情報タイプ（例えば、音声又はデータ）、使用シナリオ、アプリケーションなどを使用して通信するように構成されることが可能である。したがって、様々な実施例では、トランシーバ・モジュールは、ＧＳＭ（登録商標）、ＵＭＴＳ、ＣＤＭＡ、及び／又はＬＴＥのシステムなど、セルラー無線電話システムに関する音声通信をサポートするように構成された１つ若しくは複数のトランシーバを備えることが可能である。トランシーバ・モジュールは、ＷＷＡＮプロトコル（例えば、ＧＳＭ／ＧＰＲＳプロトコル、ＣＤＭＡ／１ｘＲＴＴプロトコル、ＥＤＧＥプロトコル、ＥＶ‐ＤＯプロトコル、ＥＶ‐ＤＶプロトコル、ＨＳＤＰＡプロトコル、ロング・ターム・エボリューション・プロトコルなど）、ＷＬＡＮプロトコル（例えば、ＩＥＥＥ８０２．１１ａ／ｂ／ｇ／ｎ、ＩＥＥＥ８０２．１６、ＩＥＥＥ８０２．２０など）、ＰＡＮプロトコル、赤外線プロトコル、Bluetoothプロトコル、受動的又は能動的なＲＦＩＤプロトコルを含むＥＭＩプロトコルなど、１つ又は複数の無線通信プロトコルに従ってデータ通信を実行するように構成された１つ又は複数のトランシーバを備えることも可能である。
【００２９】
実装形態に応じて、例えば、インターネット・プロトコル（ＩＰ）ベースのネットワーキング技術、ＳＣＡＤＡ（監視制御及びデータ取得（Supervisory Control and Data Acquisition））準拠プロトコルなどを使用するその他のプロトコル及び通信方法を使用することも可能である。
【００３０】
スイッチ７０４は、電力系統７０６に関する電力「アクセス・ポイント」を備える。電気系統（あるいは、「供給」）７０６はアクセス・ポイント間で共有される。それぞれのアクセス・ポイントは、電力供給から独立した電力引出しを有するという点で異なる。したがって、電力供給を共有しているそれぞれのアクセス・ポイントは、互いから独立してターン・オン／ターン・オフすることができる。典型的には、デジタル電子スイッチは、スイッチの対（それぞれ、別個のアクセス・ポイントである）がある動作環境では物理的に共同設置されるかもしれないが、互いから遠隔であり得る、複数の地理的に分散した位置に配置される。図８で例示されるように、ＤＥＳによって表されるアクセス・ポイントは、１つ若しくは複数の電気器具又はデバイス８０２及び８０４と関連付けられることが可能である。これらの器具又はデバイスは電力供給８０６を共有する。アクセス・ポイントごとに１つの器具若しくはデバイスが存在する場合があり、又は１つを超える器具若しくはデバイスが存在する場合もある。
【００３１】
一般に、ＥＡＰＲ７００は、信頼性があり、且つ許容可能な電力サービスをサービス等級（ＧｏＳ）内で任意の個々の器具の最終使用者に分配しながら、電力供給７０６（又は、図８において８０６）の設備利用率を最大にし、同時ピーク需要を最小にするキューイング順序によって、デジタル電子スイッチ（ＤＥＳ）を調整する。このために、ＥＡＰＲは、好ましくは、アクセス・ポイントの「オン」又は「オフ」の電力引出し状態をバイナリ・データとして解釈する。ＥＡＰＲは、デジタル電子スイッチを通して、いわゆる、「アクセス優先順位コード」（それぞれ、「ＡＰＣ」）によって、共有される電力供給（電力系統）に対するアクセスをキューイングする。特に、ＥＡＰＲは、アクセス・ポイントに対して一組のＡＰＣを生成し、それぞれのＤＥＳに特定のＡＰＣを提供する。ＡＰＣは、特定のＤＥＳに割り当てられた相対的なキューイング順序である。ＡＰＣの組は、ＥＡＰＲによって周期的に、かつ継続的に生成される。単に説明を簡単にするために、アクセス・ポイントは１つの電気器具と関連付けられていると仮定する。ＡＰＣは、その送電線上の電気器具の電力引出しの統計的測度と、その最終使用サービス要件と、後述されるような「アクセス優先順位要求」（それぞれ、ＡＰＲ）とを使用して規定される。ＡＰＲは、電力供給に対するアクセスが即時に必要とされるという、最終使用者によって提示される信号である。この信号は、ある動作環境で最終使用者最大許容可能キューイング時間をカスタマイズするために使用され得る。
【００３２】
電気器具電力ルータ（ＥＡＰＲ）は、いくつかの機能を実行する。それは、電気ネットワーク・サーバの電力引出しを監視して、電力需要を、所望されるサービス等級（ＧｏＳ）に対する目標「計画ピーク電力」しきい値に制限する。このために、ＥＡＰＲは、アクセス優先順位コード（ＡＰＣ）をそれぞれのＤＥＳに通信し、ＤＥＳ最大キューイング時間完全性を確実にして、個々のＤＥＳキューイング時間を最小にするように切り替える。ＥＡＰＲは、ＤＥＳデバイスを認証すること、ＤＥＳデータを収集及び記録すること、必要に応じてＤＥＳファームウェア又はソフトウェアを更新すること、並びに、それを介して、許可されたユーザがシステムしきい値、警告、及び自動化ルーチンを設定又はプログラムすることができるか、又は報告を取得することができるユーザ・インターフェースを提供することなど、いくつかの運営管理機能も実行する。それぞれのデジタル電子スイッチ（ＤＥＳ）は、いくつかの機能を実行する。その主な動作は、電力供給に対するアクセスを要求すること、ＡＰＣを受信すること、及びキュー上で（ＡＰＣによって判断されるように）そのＥＡＰＲが指定する時刻に電力を「オン」にすることである。ＤＥＳは、安全なデジタル通信をＥＡＰＲによって認証及び確立すること、最終使用者ＡＰＲを捕捉すること、関連する器具の電力引出しを監視すること、並びにＥＡＰＲによって供給される自動ルーチン、及びマイクロコントローラ・ファームウェア又はプロセッサ・ベースのソフトウェア更新を実行することなど、運営機能も提供する。
【００３３】
上で述べたように、アクセス優先順位コード（ＡＰＣ）は、特定のＤＥＳに割り当てられた相対的なキューイング順序である。ＥＡＰＲによって特定のＤＥＳに提供されるＡＰＣは、所与の時点（又は、期間）における電気器具の最大キューイング時間を規定する。ＤＥＳにおいて受信されたＡＰＣは、電気系統電力引出し（例えば、総電力引出し）が目標（例えば、「計画ピーク電力」）しきい値を超えて、ＥＡＰＲがそのアクセス・キューイング・プロセスを開始するとき、総システム・キューイング時間を最小にするために使用される。ＡＰＣは、典型的には、以下のうちの１つ又は複数を含む、それぞれの電気器具最終使用サービス要件を考慮に入れる。すなわち、（その作動サイクル内で電気器具が「オン」である時の平均電力引出しである、ワット単位の）電力引出し、（その作動サイクル内で電気器具が「オン」である平均分数である、分単位の）使用時間、（電気器具に関する「オン」時間同士の間の平均分数である、分単位の）使用頻度、（器具のおよその地理的位置を識別し、その器具がそれぞれのＥＡＰＲ電気回路に属することを確実にするための）位置、（器具の最終使用者が器具を使用する際の遅延を受け入れることになる平均時間であり、この値は業界平均、最終使用者ＡＰＲ履歴、又はそれらの何らかの組合せであってもよい、秒単位の）最終使用者最大許容可能キューイング時間、並びに「アクセス優先順位要求」（ＡＰＲ）（上で述べたように、電力供給に対するアクセスが即時に必要とされるという、最終使用者によって提示される信号）である。１つ又は複数のパラメータの上記の組は、「ＡＰＣパラメータ」と呼ばれることがある。
【００３４】
図９は、特定のＤＥＳとＥＡＰＲとの間の基本的なインタラクションを例示する。この同じインタラクションがそれぞれのＤＥＳに関して実行される。ステップ９００で、ＤＥＳは、認証パラメータと（ＡＰＲを含むことが可能な）ＡＰＣパラメータとを渡して、ＥＡＰＲに対するアクセス要求を開始する。ステップ９０２で、ＥＡＰＲは、ＤＥＳ認証を完了して、そのキューイング・ルーチンを実行する。このキューイング・ルーチンは図１０に示され、以下で説明される。ＥＡＰＲがキューイングが必要である（すなわち、システムが「ビジー」モードである）と判断した場合、ＥＡＰＲはＡＰＣをＤＥＳに送信する。（ＡＰＣは、この時点で、それぞれのＤＥＳにも送信される。）これはステップ９０４である。他方で、ＥＡＰＲがキューイングが必要ない（すなわち、システムは「利用可能」モードである）と判断した場合、ＥＡＰＲはＤＥＳにアクセス要求「許可」応答を送信する。ＤＥＳは、ステップ９０６で、（「ビジー」モードにある場合）ＡＰＣに従って、又は、ＡＰＲが存在する場合、あるいはアクセス要求「許可」が受信された場合（「利用可能」モードである場合）即時に、付属する器具をターン「オン」することによって応答する。ステップ９０８で、ＤＥＳは実際のキューイング時間と電力引出し測度とを報告する。ステップ９１０で、ＥＡＰＲは、そのＤＥＳデータを記憶して、ＤＥＳプロファイルを更新する。これでこのインタラクションは完了する。
【００３５】
図１０は、アクセス・ポイントによって共有される電力供給に対するアクセスを許可するために使用される、本開示のＥＡＰＲキューイング優先順位付けプロセスの動作を例示する。この実施例によれば、電気系統の総電力引出しが設定された「計画ピーク電力」しきい値未満であるとき、電力供給に対するＤＥＳアクセスは許可される。これは「利用可能」モードである。しかし、電気ネットワークの総電力引出しが設定された「ピーク電力」しきい値を超えているとき、ＥＡＰＲはそのアクセス・キューイング・プロセスを開始する。これは「ビジー」モードである。優先順位付けプロセスは、一般に、以下のように機能する。「オフ」状態にある電気器具が電力供給に対するアクセスを要求するとき、これらはキューイングされる。そのキュー内に「１つ」を超えるＤＥＳが存在する場合、ＤＥＳキューイング順序はそれらのアクセス優先順位コードに基づく。好ましくは、ＡＰＣは、それぞれのＤＥＳ最大許容可能キューイング時間（好ましくは、サービスの完全性を保証するために超えるべきではない時間）も搬送する。所与のＡＰＣを有するＤＥＳ（例えば、より短い時間制約を表す）は、より大きな値のＡＰＣを有するＤＥＳに対してキュー内でより高い優先順位を有することになる。所望される場合、ＡＰＲを実施することが可能である。上で述べたように、ＡＰＲは、キューを迂回して、電力供給に対する即時のアクセスを与える最終使用者要求である。
【００３６】
プロセス・フローは、ＤＥＳが電力供給アクセス要求を行って、ステップ１０００で開始する。上で述べたように、複数のＤＥＳデバイスが存在する場合があり、それぞれのそのようなデバイスは、任意の時点で電力供給に対するアクセスを要求することができる。ステップ１００２で、電力供給がその計画ピーク電力（又は、何らかのその他の指定された）しきい値未満で動作しているかどうかを判断するためのテストが実行される。ステップ１００２におけるテストの結果が肯定的である場合、ルーチンはステップ１００４に続き、ＤＥＳアクセス要求は許可される。これは利用可能モードである。しかし、ステップ１００２におけるテストの結果が否定的である場合、ピーク電力しきい値（ＧｏＳ）が満たされているか、又は超えている。次いで、ルーチンは、ステップ１００６に分岐して、前に説明されたようにキューイングが始まる。ステップ１００８において、最終使用者ＡＰＲがＤＥＳ電力供給アクセス要求と関連付けられるかどうかを判断するためにテストが実行される。関連付けられる場合、ルーチンは、キューイング動作を迂回して、（ステップ１００４に戻ることによって）その要求を許可する。その要求に関連するＡＰＲが存在しない場合、ステップ１０１０で、そのＤＥＳに関するＡＰＣが最大利用可能キューイング時間よりも大きいかどうかを判断するためにテストが実行される。大きい場合、ルーチンは、再度、ステップ１００４に戻り、アクセス要求を許可する。しかし、ステップ１０１０におけるテストの結果が否定的である場合、ステップ１０１２で、ＤＥＳアクセス要求がキュー上の次のものであるかどうかを判断するためにテストが実行される。そうでない場合、ルーチンは、ステップ１００６に戻り、キューイング・プロセスが続く。しかし、テストステップ１０１２の結果が肯定的である場合、（キュー内のＤＥＳの位置に達しているため）アクセス要求は許可される。
【００３７】
好ましくは、システム状態が「ビジー」である場合、すべてのオフ状態のＤＥＳはすぐにキューイングされる。システム状態が変化するとき、ＥＡＰＲは新しいピーク電力しきい値を設定することも可能である。好ましい実装形態では、システム状態が変化するたびに、この動的なピーク電力しきい値の変更が実行される。
【００３８】
上記のキューイング方式は、著しい利点を提供する。この技法は、アクセス・ポイントを調整することによって（且つ、とりわけ、ＡＰＣをＤＥＳに提供することによって）同時ピーク需要を制御する。この需要変調方式では、アクセス・ポイントのそれぞれのオン状態と関連する電力引出しとが識別され、それぞれのアクセス・ポイントに関する負荷持続曲線が正規化されて（すなわち、他のアクセス・ポイントからの負荷持続曲線と組み合わされて）キューイング・プロセスを実行するために使用される確率分布関数になる。実際には、確率分布関数は、正規化された負荷持続曲線であり、したがって、一連のアクセス・ポイント（集合的に見たとき、一連のＤＥＳ）に関して発生し得る「動作状態」の様々な組の原因を説明するものとなる。したがって、「ｎ」個のアクセス・ポイント（及び、ＤＥＳ）が存在する場合、そのアクセス・ポイントの組に関して２ｎ個の可能な動作状態が存在し、場合によっては、それぞれの動作状態は、「オン」又は「オフ」である（そのサブセットがアクセス・ポイントのすべてを含み得る）アクセス・ポイントのいくつかのサブセットに対応する同時の「事象」の組によって表される。例えば、３つのアクセス・ポイントが存在する場合、オン（２進値「１」）又はオフ（２進値「０」）である（Ａ、Ｂ、及びＣとラベル付けされた）ＤＥＳデバイスのそれぞれに対応する８つの可能な動作状態が存在する。｛０，０，１｝などの動作状態は、ＤＥＳ「Ａ」がオフであり、ＤＥＳ  Ｂがオフであり、ＤＥＳ  Ｃがオンであることを指す。それぞれの動作状態は関連する発生確率を有し、これらの確率は合計で１００％になる。次いで、（図１０を参照して上で説明されたように）ある特定の動作状態を「ピーク電力」しきい値として設定することができる。ピーク電力しきい値は、典型的には、キューイングが所望される特定の動作状態に関連する（典型的に、割合又は小数として表される）サービス等級を表す（例えば、ＧｏＳ＝２％が、動作状態｛１，１，１｝に対応する、ＤＥＳ  ＡＢＣがオンであるときの動作状態を表す）。キューイング動作をトリガするようなしきい値が、２つ以上、存在する場合がある。
【００３９】
本方法によれば、（アクセス・ポイントの）動作状態の組が変化する（ＤＥＳアクセス要求がＥＡＰＲにおいて受信されるときのオン／オフ事象によって表される）につれて、電力供給に対するアクセスが選択的にキューイングされるか、又は（以前にキューイングされている場合）キューイング解除される。これは、図１０に関して上で説明された動作である。１つ又は複数の確率しきい値（ＧｏＳ値）は、実際には、最大電力消費量を要求する最も頻度が低い事象（集合的に見れば、アクセス・ポイントの動作状態）をフィルタリングして、システムが利用可能（キューイングなし）になるように、又はビジーになる（キューイングされる）ように設定される場合を規定する。本明細書で使用される「頻度が最も低い」及び「最大」という用語は、キューイング解決策を任意の特定の実装形態に限定すると解釈されるべきではない。より一般に、説明される手法は、電力需要を送波（「オン／オフ」デジタル波）に類似して取り扱うものであって、キューイング動作は、ある形態の位相変調を実現して、この波信号の位相を効果的に調整する。これにより、例えば、この変調は、第１の器具の動作頻度の位相を調整して、１つ又は複数の他の器具の信号との「競合」を最小限に抑え、したがって、システム集約電力需要を低減する。需要を低減することによって、電力顧客はかなりの経済的利益（すなわち、電力費の削減）を受ける。このように、キューイング技法は、電力系統に独特なチャネルアクセス方法を提供する。
【００４０】
ある代替の実施例では、同時需要を増大させる（すなわち、個々の波信号に対して位相調整を行うことによって、集約波信号の振幅を変調する）ためにこの技法を使用することが可能である。
【００４１】
図１１は、代表的なＤＥＳを例示する。上で述べたように、好ましくは、アクセス・ポイントに関連するＤＥＳが存在し、１つ若しくは複数の電気器具又はデバイスが、ある特定のＤＥＳと関連付けられることが可能である。ＥＡＰＲがシステムは「ビジー」であるか、又は「ビジー」のはずであると判断すると、ＤＥＳはＡＰＣを使用して、アクセス・ポイントにおいて必要とされるキューイングを実施する。ＤＥＳは、典型的には、ハードウェア構成要素、又はハードウェア及びソフトウェア構成要素を使用して実現される。図１１に見られるように、ＤＥＳ１１００の代表（しかし、非限定的な実装形態）は、いくつかの構成要素、すなわち、マイクロコントローラ１１０２と、スイッチ・リレー１１０４と、電力モニタ１１０６と、優先順位スイッチ１１０８とを備える。上で説明されたように、ＤＥＳの主な役割は、電力供給に対するアクセスを要求して、ＥＡＰＲ命令に従ってそれを許可し、同時ピーク需要が変調されることである。さらに、ＤＥＳは、その電力引出しを認証し、それをＥＡＰＲに報告し、自動化ルーチンを実行する。ＤＥＳの機能不良を検出して、器具の電力使用パターンを描き出すために、電力引出しが電力モニタ１１０６によって監視される。電力引出し、使用頻度、位置、及びＡＰＲが、電力供給に対するアクセスを許可するために、ＥＡＰＲによって考慮される。ＤＥＳ優先順位スイッチ１１０８は、受信されたＡＰＣが即時の最終使用者サービス要件を反映しない場合、最終使用者アクセス優先要求（ＡＰＲ）を生成する。マイクロコントローラ１１０２は、データ接続を通したＥＡＰＲとの安全なデジタル通信の認証及び確立、電力供給にアクセスするための（ＥＡＰＲに対する）要求の発行、並びに、そのキューイング順序とＡＰＣとに基づく、所与の時点で電力を「オン」にするためのスイッチ・リレー１１０４の制御を含む、様々な機能を制御する。マイクロコントローラは、また、優先順位スイッチ１１０８によって生成された最終使用者アクセス優先要求を捕捉して、他のＥＡＰＲ供給自動化ルーチンを実行する。電力供給に対するアクセスが許可されると、ＤＥＳは、確率分布関数（例えば、変換されたアーランＣ分布）という面においては、アクティブなネットワーク・サーバになる。したがって、その電力引出しが電気系統の総電力引出しに加算され、キューイング・アルゴリズムに関するピーク電力しきい値に対して検証される。
【００４２】
１つ又は複数のセンサ自動化器具（図示されず）がＤＥＳ「センサビット」入力１１０５に接続されている。器具センサはその器具をターン「オン」する責任を有するため、このビットは電力にアクセスするためのＥＡＰＲ要求のトリガとなる。アクセスがＥＡＰＲによって許可されると、ＤＥＳ送電線モニタ回路１１０６が器具の電力引出しを測定する一方で、「スイッチ・ビット」出力信号１１０７は器具をターン「オン」する。
【００４３】
図１２は、特定のＤＥＳにおける器具電力引出しの統計的測度を表すプロットである。説明してきたように、ＥＡＰＲキュー内の他の器具に対して、より短い使用時間とより高い使用頻度とを有する電気器具のキューイング順序を優先順位付けするＡＰＣを規定するために、ＡＰＣパラメータ（電力引出し、使用時間、使用頻度、位置、最終使用者最大キューイング時間、及び任意のＡＰＲ）がＥＡＰＲによって使用される。さらに、正規化された電力引出しにより、以下の関係（例示的なものであり、限定するものではない）に従って、同じ位置のＤＥＳのグループ内でより低い電力引出しを有するＤＥＳを優先する重み付け係数が与えられる。
正規化された電力引出し＝電力引出し／Max（システムのＤＥＳ電力引出し）
ＡＰＣ＝（正規化された電力引出し）×（使用時間）２／（使用頻度）
ある実施例では、ＡＰＣ値は、分単位のＤＥＳ最大キューイング時間であり、好ましくは、この値は、器具使用時間とその最終使用者最大許容可能キューイング時間の最小値を超えない。
ＡＰＣ＜Minimum（最終使用者許容可能キューイング時間、使用時間）
【００４４】
例えば、説明された解決策を実現するシステムは、ＥＡＰＲと、電力ルータ内で実行する予測ソフトウェア・アルゴリズムに基づいて（一般に、遠隔である）位置におけるピーク需要を制御する一連のＤＥＳ（例えば、ＳＣＡＤＡ準拠）デバイスとを備える。説明されてきたように、ＥＡＰＲは、（動作位相偏移を予測的に計算及び実施することによって）アクセス・ポイント・キューイング時間と、電力供給からの電力引出し競合とを最小にするように動作し、それによって、ＥＡＰＲが制御するサイクリング器具、デバイス、及びサービスからのピーク電力需要を低減する。ＤＥＳ機能は、ハードウェア、ファームウェア、又はソフトウェアにおいて実現可能である。
【００４５】
ＥＡＰＲ（又は、その一部の機能）を「ソフトウェア・アズ・ア・サービス（software-as-a-service）」としてクラウド実施例内で実現することが可能である。
【００４６】
このシステムは、単一の物理設備内でや、複数の物理設備を通して、などで実施可能である。ある代替の実施例では、このシステムは、例えば、地域サーバ上に常駐するソフトウェアがこれに無線接続されたＤＥＳデバイスの局所的監視及び制御を提供するのに対して、（その中でＥＡＰＲが実行する）中央サーバがその地域サーバを監督するような、モジュラ式の階層アーキテクチャで実施される。
【００４７】
例示的な実施例では、ＤＥＳデバイスは、通信シェルター、無線装置室、コンピュータ・サーバ室、商用不動産、組織及び学校の構内、石油・ガスの掘削現場並びに精油所の上流及び下流、電気自動車充電所、市営電力系統、政府施設、電力事業などの中に配置される。
【００４８】
ＥＡＰＲとＤＥＳとの間のリンクは安全であることが好ましい。ＡＰＣコードは、任意のＩＰベースの、あるいは、電子メールメッセージとしてＳＭＴＰを経由して、ＮＮＴＰ（telnet）を経由して、ＳＭＳ（テキスト）若しくはＭＭＳ（マルチメディア）メッセージを経由して、（ウェブサービスとして）ＳＯＡＰ上でＨＴＴＰを経由してなどを含むが、これらに限定されない、その他のトランスポート層プロトコルを介して送信されることが可能である。ＤＥＳに送信されるＡＰＣは、好ましくは、ＡＴ（アテンション）コマンドであり、したがって、アナログ形態で送信されることが可能である。ＤＥＳに送信されるコマンドは、「時間」であると理解され得る値である。好ましくは、この値は、ＥＡＰＲがＤＥＳとハンドシェークするたびに更新される。
【００４９】
ＤＥＳ機能は、既存のＳＣＡＤＡ準拠又はその他のタイプの電気デバイス若しくは器具の内に組み込むことが可能である。ＤＥＳは独立型デバイスとして実施されることは必要とされず、むしろ、１つ若しくは複数の説明された機能を既存の電気デバイス／器具に、ソフトウェア又はその他の構成によって、追加することが可能である。この手法では、システム・プロバイダは、（例えば、クラウド・ベースのサービスとして）ＥＡＰＲ機能を提供して、説明されたアクセス・ポイントの機能及び動作を提供するように構成されているデバイス／器具に接続する。この手法は、コントロールポイントにおいて既存のハードウェアを活用し、ターンキー解決策を実施するコストを低減する。
【００５０】
開示された主題によって提供される需要変調は、説明されてきたＥＡＰＲ／ＤＥＳ機能の任意の物理的構成で実現可能である。
【００５１】
本明細書で説明されたようなアーラン確率分布の使用は、好ましいが、開示された主題に限定することは意図されていない。アーラン確率分布は、ガンマ分布の特殊事例であり、任意のそのような分布を同様に使用することが可能である。適用され得る他の確率分布には、ポアソン分布、パレート分布、ベルヌーイ過程分布、及びEngset計算が含まれる。
【００５２】
説明されてきたようなシステム構成要素は、代表的な実施例である。すべてのそのような構成要素が含まれること、又は識別された境界が示された通りであることは必要とされない。場合によっては、説明された主題の範囲から逸脱せずに、１つ若しくは複数の構成要素をこのシステム又は他のエンティティと組み合わせること、或いはそれらと関連付けることが可能である。構成要素が同じデータ・センター内に配置されることは必要とされない。ＥＡＰＲ又はＤＥＳは、必要に応じて、計算機、並びに関連する電子デバイス及び／又は機械デバイスを備える。説明された機能は、機械、デバイス、プログラム、コントローラ、スイッチ、プロセス、実行スレッドなどによって実施することが可能である。
【００５３】
上記は、本発明のある種の実施例によって実行される動作の特定の順序を説明しているが、そのような順序は例示であって、代替の実施例では、これらの動作を異なる順序で行うこと、ある種の動作を組み合わせること、ある種の動作を重複させることなどが可能である点を理解されたい。本明細書における所与の実施例の参照は、説明された実施例が特定の特徴、構造、又は特性を含むことが可能であることを示すが、すべての実施例がその特定の特徴、構造、又は特性を含むとは限らない場合がある。
【００５４】
本明細書の主題は、完全にハードウェア実施例の形をとってよく、完全にソフトウェア実施例の形をとってよく、又はハードウェア要素とソフトウェア要素の両方を含む実施例の形をとってもよい。ある実施例では、この機能は、１つ又は複数のサーバ機械内で実行するソフトウェアにおいて実施される。開示されたシステム（又は、その一部）は、コンピュータ若しくは任意の命令実行システムによる使用のための、又はこれに関連した、プログラム・コードを提供する、コンピュータ使用可能或いはコンピュータ読み取り可能媒体からアクセス可能なコンピュータ・プログラム製品の形をとってもよい。コンピュータ使用可能又はコンピュータ読み取り可能媒体は、命令実行システム、装置、若しくはデバイスによる使用のための、又はこれに関連した、プログラムを記憶することが可能な任意のデバイス又は装置であってよい。この媒体は、電子式、磁気式、光学式などであってよい。コンピュータ可読媒体の例は、半導体又はソリッドステートのメモリ、磁気テープ、取外し可能なコンピュータ・ディスケット、ランダム・アクセス・メモリ（ＲＡＭ）、読出し専用メモリ（ＲＯＭ）、剛性の磁気ディスク及び光ディスクを含む。光ディスクの現在の例は、コンパクト・ディスク−読出し専用メモリ（ＣＤ‐ＲＯＭ）、コンパクト・ディスク−読出し／書込み（ＣＤ‐Ｒ／Ｗ）、及びＤＶＤを含む。
【００５５】
システムの所与の構成要素が別個に説明されてきたが、これらの機能のうちのいくつかは、所与の命令、プログラム・シーケンス、コード部分などの中で組み合わされること、又は共有されることが可能である点を当業者は理解されよう。
【００５６】
当発明者らの発明を説明してきたが、当発明者らが特許請求するのは以下のとおりである。
【図１】
0005957014.tif 000004
【図２】
0005957014.tif 000005
【図３】
0005957014.tif 000006
【図４】
0005957014.tif 000007
【図５】
0005957014.tif 000008
【図６】
0005957014.tif 000009
【図７】
0005957014.tif 000010
【図８】
0005957014.tif 000011
【図９】
0005957014.tif 000012
【図１０】
0005957014.tif 000013
【図１１】
0005957014.tif 000014
【図１２】
0005957014.tif 000015